(57)【要約】【課題】ピックアップフレームにおいて、温度上昇による支持ベースの熱変形を低減する。【解決手段】ピックアップフレーム８は、発光素子１１と発光素子からの光を処理する光学処理部１７を有する光ピックアップ装置に用いられ、光学ベース３０と第１支持ベース３２と第２支持ベース３４と第１規制部３６と第２規制部３８とを備えている。光学ベースは、金属製であり、発光素子及び光学処理部を支持する。第１支持ベースは、合成樹脂製であり、光学ベースのＸ軸方向の第１端側を支持する。第２支持ベースは、合成樹脂製であり、第１支持ベースと分離して設けられ光学ベースのＸ軸方向の第２端側を支持する。第１規制部は、第１支持ベースに設けられ、第１支持ベースがＹ軸方向以外の方向に可動するのを規制する。第２規制部は、第２支持ベースに設けられ、第２支持ベースがＹ軸方向の軸回りに回動するのを規制する。【選択図】図３
2009283114.tif 000002
【特許請求の範囲】
【請求項１】
光を出射する発光素子と、前記発光素子から出射された光を処理する光学処理部と、前記光学処理部で処理された光を記録媒体に向けて集光する光照射部と、を有し、固定台に対して移動可能な光ピックアップ装置に用いられるピックアップフレームであって、
前記発光素子及び前記光学処理部を支持する金属製の光学ベースと、
前記光学ベースの第１方向の第１端側を支持する合成樹脂製の第１支持ベースと、
前記第１支持ベースと分離して設けられ前記光学ベースの前記第１方向の第２端側を支持する合成樹脂製の第２支持ベースと、
前記第１支持ベースに設けられ、前記第１支持ベースが前記第１方向と直交する第２方向以外の方向に可動するのを規制する第１規制部と、
前記第２支持ベースに設けられ、前記第２支持ベースが前記第２方向の軸回りに回動するのを規制する第２規制部と、
を備えた光ピックアップ装置用ピックアップフレーム。
【請求項２】
前記第１支持ベースは、前記光学ベースの前記第１端側の第１端面を前記第２方向に間隔を隔てて固定可能な１対の第１固定部を有し、
前記第２支持ベースは、前記光学ベースの前記第２端側の両側面を固定可能に前記第２方向に間隔を隔てて配置された１対の第２固定部を有する、
請求項１に記載の光ピックアップ装置用ピックアップフレーム。
【請求項３】
前記第２支持ベースは、
前記第２規制部が設けられ、前記１対の第２固定部の一方が形成された第１部分と、
前記１対の第２固定部の他方が形成された第２部分と、
前記第１及び第２部分より薄肉であり、前記１対の第２固定部より前記第２規制部から離反した位置で、前記第１部分と前記第２部分とを連結する連結部分と、
を有し、
前記光学ベースは、前記連結部分を跨いで前記第２端側に延び、前記第２端側に前記発光素子を固定可能である、
請求項２に記載の光ピックアップ装置用ピックアップフレーム。
【請求項４】
前記第１及び第２支持ベースと、前記光学ベースと、は隙間をあけて配置されている、
請求項２又は３に記載の光ピックアップ装置用ピックアップフレーム。
【請求項５】
前記第１及び第２支持ベースと、前記光学ベースと、は前記第１及び第２固定部で接着剤により固定されている、請求項４に記載の光ピックアップ装置用ピックアップフレーム。
【請求項６】
前記第１規制部は、前記固定台に前記第２方向に沿って配置された主軸に案内される第１軸受を有し、
前記第２規制部は、前記固定台に前記主軸と第１方向に間隔を隔てて平行に配置された副軸に案内される第２軸受を有する、
請求項１から５のいずれか１項に記載の光ピックアップ装置用ピックアップフレーム。
【請求項７】
光を出射する発光素子と、
前記発光素子から出射された光を処理する光学処理部と、
前記光学処理部で処理された光を記録媒体に向けて集光する光照射部と、
請求項１から６のいずれか１項に記載のピックアップフレームと、
を備え、前記固定台に対して移動可能な光ピックアップ装置。
【請求項８】
請求項７に記載の光ピックアップ装置と、
前記固定台と、
前記固定台に前記第２方向に沿って配置された主軸と、
前記固定台に前記主軸と第１方向に間隔を隔てて平行に配置された副軸と、
前記光ピックアップ装置に対向可能に配置され、前記記録媒体を回転可能に載置するための記録媒体載置部と、
を備えた記録再生装置。
【発明の詳細な説明】
【技術分野】
【０００１】
本発明は、合成樹脂と金属を用いたハイブリッド型のピックアップフレーム、ピックアップフレームを用いた光ピックアップ装置、及び光ピックアップ装置を用いた記録再生装置に関する。
【背景技術】
【０００２】
記録再生装置としての光ディスク駆動装置により回転される光ディスクの信号面に光を入射して、この光ディスクに記録されている情報信号を読み取る手段として、または光ディスクに情報を書き込む手段として、光ピックアップ装置が用いられている。
この光ピックアップ装置は、光を出射する半導体レーザ素子等の発光素子と、発光素子から出射された光を処理する光学処理部と、対物レンズと、これらを装着するピックアップフレームと、を備えている。対物レンズは、半導体レーザ等の発光素子から出射される光を光ディスクの信号面に集光させるものであり、アクチュエータにより駆動される。アクチュエータは、対物レンズを磁気的な駆動力によりフォーカス方向およびトラッキング方向の２軸方向に変位させる。ピックアップフレームは、対物レンズを送り方向に沿って直線的に移動できるように、回転する主軸と、主軸と平行に配置された副軸とにより案内される。
【０００３】
このような光ディスクドライブ装置において、本体ベースに樹脂材を採用すれば、軽量で小型化が可能となり、さらには安価となる。しかし、合成樹脂は、金属に比べて放熱性能が劣るとともに、温度上昇による熱変形量が大きくなる。
近年、光ディスクの高記録密度化、高速記録化に伴って、発光素子の高出力化が進行している。この発光素子の高出力化に比例して発光素子からの発熱量が増加するため、放熱対策を十分に行う必要がある。そこで、放熱対策を行いつつ軽量化を図るために、精度が特に必要な光学部品や光学処理部を装着する光学ベースを金属製にし、光学ベースを支持するとともに移動のための案内部分などが含まれる支持ベースに合成樹脂を用いたハイブリッド型のピックアップフレームが知られている（例えば、特許文献１参照）。
特許文献１のピックアップフレームは、合成樹脂製の支持ベースの底面に金属製の光学ベースが固定されたものである。この放熱板上に発光素子、受光素子を含む光学処理部が装着されている。このピックアップフレームでは、発光素子や光学処理部の各光学部品等の部品が金属製の光学ベース上に接着固定されている。各光学部品が固定された光学ベースが金属製であり、発光素子での発熱の影響による放熱板の剛性の低下はわずかであることから、全体が合成樹脂製のピックアップフレームに比べて放熱性能の低下や剛性の低下を防止できる。
【特許文献１】特許第３８３３８７２号公報
【発明の開示】
【発明が解決しようとする課題】
【０００４】
昨今の高記録密度化、高速度化の傾向にある光ピックアップ装置においては、発光素子はさらに高出力化し、発光素子からの発熱によるピックアップフレーム、および光学処理部の各素子の熱変形が問題となる。熱変形が生じると、ピックアップフレームに装着された光学部品の位置ずれが発生し、光学特性に悪影響を与える。
特許文献１に開示されたピックアップフレームの場合、合成樹脂製の支持ベースに金属製の光学ベースを組み付けている。このため、温度が上昇すると、金属製の光学ベースと合成樹脂製の支持ベースの線膨張係数の差により支持ベースの膨張量が金属ベースに比べて大きくなる。この結果、支持ベースが主軸と副軸との間で下方向にたわむ熱変形を起こし、主軸と副軸から形成される面に対して光学ベースが傾くおそれがある。このように光学ベースが傾くと、光学部品の位置ずれが発生し、光学特性が劣化する。
【０００５】
本発明の課題は、光ピックアップ装置に用いられる金属と合成樹脂とを用いたハイブリッド型のピックアップフレームにおいて、温度上昇による支持ベースの熱変形を低減することにある。
本発明の別の課題は、ハイブリッド型のピックアップフレームを用いた光ピックアップ装置において、光学部品の位置ずれによる光学特性の低下を抑えることにある。
【課題を解決するための手段】
【０００６】
第１の発明に係る光ピックアップ装置用ピックアップフレームは、光を出射する発光素子と、発光素子から出射された光を処理する光学処理部と、光学処理部で処理された光を記録媒体に向けて集光する光照射部と、を有し、固定台に対して移動可能な光ピックアップ装置に用いられるものであって、光学ベースと、第１支持ベースと、第２支持ベースと、第１規制部と、第２規制部と、を備えている。光学ベースは、発光素子及び光学処理部を支持する金属製のものである。第１支持ベースは、光学ベースの第１方向の第１端側を支持する合成樹脂製のものである。第２支持ベースは、第１支持ベースと分離して設けられ光学ベースの第１方向の第２端側を支持する合成樹脂製のものである。第１規制部は、第１支持ベースに設けられ、第１支持ベースが第１方向と交差する第２方向以外の方向に可動するのを規制するものである。第２規制部は、第２支持ベースに設けられ、第２支持ベースが第２方向の軸回りに回動するのを規制するものである。
【０００７】
このピックアップフレームでは、発光素子及び光学処理部を金属製の光学ベースに装着し、その光学ベースの第１方向の第１端側が合成樹脂製の第１支持ベースによって支持され、第１方向の第２端側が第２支持ベースにより支持される。これにより、合成樹脂製の支持ベースが別々に規制される第１支持ベースと第２支持ベースとに分離される。このため、合成樹脂全体の量が減少するとともに、金属製の光学ベースからの熱移動が減少し、第１及び第２支持ベースの熱変形を低減することができる。また、このピックアップフレームに発光素子や光学処理部を搭載しても、発生する光学ベースの位置ずれの影響を小さくすることができる。
第２の発明に係る光ピックアップ装置用ピックアップフレームは、第１の発明に係るピックアップフレームであって、第１支持ベースは、光学ベースの第１端側の第１端面を第２方向に間隔を隔てて固定可能な１対の第１固定部を有し、第２支持ベースは、光学ベースの第２端側の両側面を固定可能に第２方向に間隔を隔てて配置された１対の第２固定部を有する。
【０００８】
第３の発明に係る光ピックアップ装置用ピックアップフレームは、第２の発明に係るピックアップフレームであって、第２支持ベースは、第２規制部が設けられ、１対の第２固定部の一方が形成された第１部分と、１対の第２固定部の他方が形成された第２部分と、第１及び第２部分より薄肉であり、１対の第２固定部より第２規制部から離反した位置で、第１部分と第２部分とを連結する連結部分と、を有し、光学ベースは、連結部分を跨いで前記第２端側に延び、第２端側に発光素子を固定可能である。
第４の発明に係る光ピックアップ装置用ピックアップフレームは、第２又は第３の発明に係るピックアップフレームであって、第１及び第２支持ベースと、光学ベースと、は隙間をあけて配置されている。
第５の発明に係る光ピックアップ装置用ピックアップフレームと、第４の発明に係るピックアップフレームであって、第１及び第２支持ベースと、光学ベースと、は接着剤により固定されている。
【０００９】
第６の発明に係る光ピックアップ装置用ピックアップフレームは、第１から第５の発明のいずれかに係るピックアップフレームであって、第１規制部は、固定台に第２方向に沿って配置された主軸に案内される第１軸受を有し、第２規制部は、固定台に主軸と第１方向に間隔を隔てて平行に配置された副軸に案内される第２軸受を有する。
第７の発明に係る光ピックアップ装置は、光を出射する発光素子と、発光素子から出射された光を処理する光学処理部と、光学処理部で処理された光を記録媒体に向けて集光する光照射部と、第１から第６の発明のいずれかに記載のピックアップフレームと、を備え、固定台に対して移動可能である。
この光ピックアップ装置では、第１及び第２支持ベースの熱変形によって発生する光学ベースの位置ずれの影響を小さくすることができるため、光学部品の位置ずれによる光学特性の低下を抑えることができる。
【００１０】
第８の発明に係る記録再生装置は、第７の発明に記載の光ピックアップ装置と、固定台と、固定台に第２方向に沿って配置された主軸と、固定台に主軸と第１方向に間隔を隔てて平行に配置された副軸と、光ピックアップ装置に対向可能に配置され、記録媒体を回転可能に載置するための記録媒体載置部と、を備えている。
【発明の効果】
【００１１】
本発明に係るピックアップフレームでは、合成樹脂製の支持ベースが別々に規制される第１支持ベースと第２支持ベースとに分離される。このため、合成樹脂全体の量が減少するとともに、金属製の光学ベースからの熱移動が減少し、第１及び第２支持ベースの熱変形を低減することができる。
【発明を実施するための最良の形態】
【００１２】
図１及び図２を用いて、本発明の第１実施形態を採用した光学式情報記録再生装置（以下、「記録再生装置」という。）１の構成について説明する。図１に記録再生装置１の概略斜視図、図２に記録再生装置１の部分斜視図を示す。なお、以降の説明では、図１の右斜め方向をＸ軸方向（第１方向の一例）、光ピックアップ装置４のトラッキング方向である図１の左右方向（第２方向の一例）をＹ軸方向、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。
図１に示すように、記録再生装置１は主に、光ディスク２が回転可能に載置されるディスク載置部６と、ディスク載置部６上に載置され光ディスク２を回転させるスピンドルモータ７と、光ディスク２に対して情報の記録および再生を行う光ピックアップ装置４と、光ディスク２に対して光ピックアップ装置４を移動可能に支持する移動機構５とから構成されている。
【００１３】
移動機構５は主に、光ピックアップ装置４を移動させるために平行に配置された主軸９ａ及び副軸９ｂと、主軸９ａを回転させるモータ（図示せず）を備えた固定台１０とから構成されている。主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に可動するのを規制する機能も有している。副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
【００１４】
＜光ピックアップ装置の構成＞
図３から図５を用いて本発明の一実施形態に係る光ピックアップ装置４の構成について説明する。図３に光ピックアップ装置４の平面図、図４に駆動素子配置部分の断面図、図４に駆動素子配置部分の底面図を示す。
図３に示すように、光ピックアップ装置４は、主に、金属製の部材と合成樹脂製の部材とからなるハイブリッド型のピックアップフレーム８と、レーザ光を出射する、たとえば半導体レーザ素子からなる発光素子１１と、光ディスク（図示せず）で反射されたレーザ光の反射光を検出して電流に変換する受光素子１３と、発光素子１１のレーザ光の強度を検出する強度センサ１５と、を備える。さらに、光ピックアップ装置４は、発光素子１１から出射されるレーザ光を反射させたり、平行光に変換したり、光ディスクからの反射光を反射させたりする光学処理部１７と、光学処理部１７で平行光に変換されたレーザ光を光ディスクの情報記録面に集光し、その集光されたレーザ光の焦点を光ディスクの情報記録面に合わせるための対物レンズ（光照射部の一例）１９と、対物レンズ１９を光ディスクに対してフォーカス方向及びトラッキング方向（Ｙ軸方向）に駆動させるアクチュエータ２１と、を備えている。光学処理部１７は、回折格子、コリメートレンズ、検出レンズ、立上げプリズム等を含んでいる。
【００１５】
ピックアップフレーム８は、図３から図６に示すように、対物レンズ１９以外の光学部品、すなわち、発光素子１１、受光素子１３、強度センサ１５及び光学処理部１７を支持する光学ベース３０と、光学ベース３０のＸ軸方向の第１端側（図４右端側）を支持する第１支持ベース３２と、第１支持ベース３２と分離して設けられ、光学ベース３０のＸ軸方向の第２端側（図４左端側）を支持する第２支持ベース３４と、を有している。また、ピックアップフレーム８は、第１支持ベース３２に設けられ、第１支持ベース３２がＹ軸方向以外の方向に可動するのを規制する第１規制部３６と、第２支持ベース３４に設けられ、第２支持ベース３４がＹ軸方向の軸回りに回動するのを規制する第２規制部３８と、を有している。
光学ベース３０は、たとえば、亜鉛やマグネシウムやアルミニウム等を主成分とする合金製であり、ダイカストにより製造された熱伝導性が良好な金属製の部材である。光学ベース３０は、第１及び第２支持ベース３２，３４より僅かに薄い概ね矩形の板状部材である。光学ベース３０の第１端側の第１端面３０ａには、接着剤を塗布するための１対の第１被固定部３０ｂ，３０ｂがＹ軸方向に間隔を隔てて矩形に凹んで形成されている。光学ベース３０の第２端側の第２端面３０ｃには、発光素子１１を収納して固定するための発光素子収納部３０ｄが概ね矩形に凹んで形成されている。この発光素子収納部３０ｄに発光素子１１が隙間をあけて固定されている。また、光学ベース３０の中央部には、光学処理部１７を収納して固定するためのＴ字状に開口する光学処理部収納部３０ｅが形成されている。この光学処理部収納部３０ｅに光学処理部１７が隙間をあけて固定されている。光学ベース３０の第２端側の両側面には、固定用の接着剤を塗布するための１対の第２被固定部３０ｆ，３０ｆが凹んで形成されている。光学ベース３０のＹ軸方向に間隔を隔てて配置された２つの側面の一方に受光素子１３が、他方の側面に強度センサ１５がそれぞれ隙間をあけて固定されている。
【００１６】
光学ベース３０には、発光素子１１から出射されたレーザ光を対物レンズ１９に導くための第１及び第２導光部３０ｇ，３０ｈが光学処理部収納部３０ｅのＸ軸方向の両側に形成されている。また、光ディスクで反射しさらに光学処理部１７で反射したレーザ光を受光素子１３に導くための第３導光部３０ｉが光学処理部収納部３０ｅの受光素子１３固定部側に形成され、発光素子１１から出射され光学処理部１７で反射したレーザ光を強度センサ１５に導く第４導光部３０ｊが強度センサ１５固定側に形成されている。さらに、第２支持ベース３４を跨ぐための凹部３０ｋが第２端側に形成されている。このように、光学ベース３０に凹部３０ｋを設け、凹部３０ｋで第２支持ベース３４の連結部分３４ｄを跨ぐ（乗り越える）ことにより、第２支持ベース３４及び光学ベース３０の強度を確保しつつピックアップフレーム８全体の薄型化が可能になる。
【００１７】
第１支持ベース３２は、ＬＰＣ（液晶ポリマー樹脂）やＰＰＳ（ポリフェニレンサルファイド樹脂）等の高温高湿下でも優れた寸法安定性を有する合成樹脂製の板状部材である。第１支持ベース３２は、光学ベース３０の第１端面３０ａの第１被固定部３０ｂ，３０ｂを固定可能にＹ軸方向に間隔を隔てて凹んで形成された１対の第１固定部３２ａ，３２ａを有している。第１支持ベース３２は、光学ベースの第１端面３０ａと隙間をあけて配置されている。第１支持ベース３２の中央部には、アクチュエータ２１を収納固定するためのアクチュエータ収納部３２ｃが形成されている。また、第１支持ベース３２にＸ軸方向正側の外側部には、第１規制部３６を構成する第１軸受４０が形成されている。第１軸受４０は、主軸９ａに案内されるスライド軸受の機能と、主軸９ａに螺合して主軸９ａの回転によりＹ軸方向に移動するナットの機能とを有している。
【００１８】
第２支持ベース３４は、たとえばＬＰＣ（液晶ポリマー樹脂）やＰＰＳ（ポリフェニレンサルファイド樹脂）等の高温高湿下でも優れた寸法安定性を有する合成樹脂製の部材である。第２支持ベース３４、第１支持ベース３２と同じ厚みの板状の部材である。第２支持ベース３４は、光学ベース３０の第２端側の両側面に形成された第２被固定部３０ｆ，３０ｆを固定可能に凹んで形成され、Ｙ軸方向に間隔を隔てて配置された１対の第２固定部３４ａ，３４ａを有している。第２支持ベース３４は、光学ベース３０の両側面と隙間をあけて配置されている。第２支持ベース３４は、第２固定部３４ａの一方（たとえば、図５左側の第１固定部３４ａ）が形成された第１部分３４ｂと、第２固定部３４ａの他方が形成された第２部分３４ｃと、第１部分３４ｂと第２部分３４ｃとを連結する連結部分３４ｄと、を有している。
【００１９】
第１部分３４ｂは、光学ベース３０の先端より大きく突出するＸ軸方向の長さを有しており、Ｘ軸方向の負側の外側部には、第２規制部３８を構成する第２軸受４２が形成されている。第２軸受４２は、副軸９ｂに案内されるスライド軸受であり、この実施形態では、組立作業を容易にするためにＵ字状に先端が開口するように形成されている。
第２部分３４ｃは、第１部分３４ｂと同じ厚みであり、第１部分３４ｂよりＸ軸方向の長さが短く、光学ベース３０の先端部より僅かに突出するＸ軸方向の長さを有している。
連結部分３４ｄは、第１及び第２部分３４ｂ，３４ｃより薄肉であり、１対の第２固定部３４ａより第２規制部３８から離反した位置で第１及び第２部分３４ｂ，３４ｃを連結している。連結部分３４ｄには、光学ベース３０の凹部３０ｋに係合する補強部３４ｅが他の部分より上方に突出して形成されており、光学ベース３０は、補強部３４ｅを跨いで（乗り越えて）第２端側に延びている。補強部３４ｅの中央部には、発光素子１１から出射されたレーザ光を光学処理部１７に導くための第５導光部３４ｆが形成されている。
【００２０】
ピックアップフレーム８の光学ベース３０と第１及び第２支持ベース３２，３４は、それぞれ１対の第１及び第２固定部３２ａ，３２ａ、３４ａ，３４ａに充填された接着剤により固定されている。また、光学ベース３０と発光素子１１，受光素子１３，強度センサ１５とは同じく接着剤で固定されている。さらに第１支持ベース３２とアクチュエータ２１も接着剤で固定されている。しかも、接着部分の周囲には全て隙間が形成されており、固定時に種々の調整を三次元的に行えるようになっている。
具体的には、光学部品の位置ずれや傾きを防止するために、各光学部品及び光学ベース３０の少なくとも一方に接着剤を塗布し、各光学部品の光学特性から光学ベース３０との最適な位置となるように３次元で位置調整を行い、接着剤を硬化させることで、光学部品を位置決めして固定する。
【００２１】
また、合成樹脂製の支持ベースを主軸９ａ側の第１支持ベース３２と副軸９ｂ側の第２支持ベース３４に分離、独立して構成しており、それぞれ光学ベース３０に接着剤で固定されている。この固定の際には、光学ベース３０と第１支持ベース３２との少なくとも一方に接着剤を塗布し、光学的特性が最適となるように、光学ベース３０に搭載された光学部品と第１支持ベース３２とを３次元で位置調整を行った上で接着剤を硬化させることで、両者を位置決めして固定する。同様に光学ベース３０と第２支持ベース３４の少なくとも一方に接着剤を塗布し、光学的特性が最適となるように、光学ベース３０に搭載された光学部品と第２支持ベース３４とを３次元で位置調整を行った上で接着剤を硬化させることで、両者を位置決めして固定する。なお、接着剤はアクリル系またはエポキシ系の紫外線硬化型接着剤であることが好ましい。
【００２２】
このように合成樹脂製の支持ベースを第１支持ベース３２、第２支持ベース３４と分離させることで、合成樹脂と金属の線膨張係数の違いによる熱変形量の差により光学ベース３０が支持ベースの下方向へのたわみにより引きずられることにより発生する光学部品の位置ずれや傾きを防止することができる。なお、ここで説明している傾きとは、主軸９ａと副軸９ｂとからなる−Ｘ軸方向の平面に対する傾きであり、図６に示すθの角度で表現している傾きのことを意味している。
また、図６に示すピックアップフレーム８の断面図から明らかなように、金属製の光学ベース３０を、合成樹脂製の第１支持ベース３２と第２支持ベース３４に挟まれた構造とすることで、光軸方向すなわち、Ｘ軸方向に発生する第１及び第２支持ベース３２，３４の変形を互いにオフセットすることができるため、高温下における光学ベース３０の変形量を低減可能になり、光学ベース３０に搭載された光学部品の位置ずれや傾きを低減できる。
【００２３】
＜記録再生装置の動作＞
図１から図３を用いて、記録再生装置１の動作について説明する。
図１および図２に示すように、スピンドルモータ７により光ディスク２が回転駆動される。光ピックアップ装置４からレーザ光が情報記録面に対して出射される。光ピックアップ装置４は、移動機構５により光ディスク２に対して半径方向と平行な方向に駆動される。以上の構成により、光ピックアップ装置４からのレーザ光の照射位置を変更することができる。
また、光ピックアップ装置４の内部では、図３に示すように、発光素子１１からＸ軸方向正側にレーザ光が出射される。このレーザ光は、光学処理部１７により平行光にされる。平行光にされたレーザ光は、Ｙ軸方向正側に進み、Ｚ軸方向正側に折り曲げられ、対物レンズ１９に入射される。対物レンズ１９は、アクチュエータ２１によりフォーカス方向およびトラッキング方向に移動可能であり、対物レンズ１９によりレーザ光が光ディスク２の情報記録面に集光され、情報記録面に記録マークが形成されることで情報が記録される。
【００２４】
光ディスク２上に記録された情報を再生する場合は、情報を記録する場合と同様に、情報記録面にレーザ光を照射する。そして、情報記録面で反射したレーザ光は、対物レンズ１９、光学処理部１７を介して受光素子１３に入射される。受光素子１３に入射されたレーザ光は、受光素子１３により電流値に変換され、その電流値に基づいて情報記録面に記録されている情報が再生される。
＜作用効果＞
（Ａ）光ピックアップ装置４において、発光素子１１が発光していると、発光素子１１から発熱した熱が光学ベース３０を介して合成樹脂製の第１及び第２支持ベース３２，３４に伝達される。しかし、合成樹脂製の支持ベースが別々に規制される第１支持ベースと第２支持ベースとに分離されているので、合成樹脂全体の量が減少するとともに、金属製の光学ベースからの熱移動が減少し、第１及び第２支持ベースの熱変形を低減することができる。また、このピックアップフレームに発光素子や光学処理部１７を搭載しても、発生する光学ベースの位置ずれの影響を小さくすることができる。
【００２５】
（Ｂ）第１支持ベース３２は、光学ベース３０の第１端側の第１端面３０ａをＹ軸方向に間隔を隔てて固定可能な１対の第１固定部３２ａ，３２ａを有し、第２支持ベース３４は、光学ベース３０の第２端側の両側面を固定可能にＹ軸方向に間隔を隔てて配置された１対の第２固定部３４ａ，３４ａを有している。このため、第１固定部３２ａ，３２ａと第１規制部３６との距離及び第２固定部３４ａ，３４ａと第２規制部３８とのＸ軸方向の距離をそれぞれ短くすることができる。また、発光素子１１を第２固定部３４ａの間に配置しても、Ｙ軸方向の長さを短くすることができる。このため、Ｘ軸及びＹ軸方向の長さを短くしてピックアップフレーム８の小型化を図ることができる。
（Ｃ）第２支持ベース３４が第２固定部３４ａの一方が形成された第１部分３４ｂと、第２固定部の他方が形成された第２部分３４ｃとに分かれるとともに、第１部分３４ｂと第２部分３４ｃとが連結部分３４ｄにより連結されているので、熱発生量が多い発光素子１１が第２支持ベース３４側で光学ベース３０に装着されても、第２支持ベース３４の熱変形を抑えることができる。また、薄肉の連結部分３４ｄを跨いで、すなわち連結部分３４ｄを乗り越えて光学ベース３０が第２端側に延びているので、第２支持ベース３４及び光学ベース３０の強度を確保しつつピックアップフレーム８全体の薄型化が可能になる。
【００２６】
（Ｄ）光学ベース３０と、第１及び第２支持ベース３２，３４と、が隙間をあけて配置されているので、第１及び第２支持ベース３２，３４が熱膨張しても光学ベース３０が位置ずれにくくなる。
（Ｅ）光学ベース３０と、第１及び第２支持ベース３２，３４とを、第１及び第２固定部３２ａ，３４ａｄで接着剤だけで固定しているので、３次元の位置調整を完了した後に接着剤を硬化させて精度がよいピックアップフレーム８を製造できる。
（Ｆ）第１規制部３６が主軸に案内される第１軸受４０であり、第２規制部３８が副軸に案内される第２軸受４２であるので、主軸９ａを回転させてピックアップフレーム８をＹ軸方向に移動させてもピックアップフレーム８をスムーズにＹ軸方向に案内できる。
（Ｇ）光ピックアップ装置４では、第１及び第２支持ベース３２，３４の熱変形によって発生する光学ベース３０の位置ずれの影響を小さくすることができるため、光学部品の位置ずれによる光学特性の低下を抑えることができる。
【００２７】
＜他の実施形態＞
（ａ）前記実施形態では、第２支持ベース３４を、第１部分３４ｂと第２部分３４ｃと連結部分３４ｄとで構成したが、第１部分だけで第２支持ベースを構成してもよい。
（ｂ）前記実施形態では、第２固定部３４ａで光学ベース３０の第２端側の側面を固定したが、第２固定部で光学ベース３０の第２端側の端面を固定するようにしてもよい。
【産業上の利用可能性】
【００２８】
本発明に係る光ピックアップ装置用ピックアップフレーム、光ピックアップ装置および光学式情報記録再生装置は、ハイブリッド型のピックアップフレームにおいて、温度上昇による合成樹脂製の支持ベースの熱変形を低減する図ることができる。このため、小型化が必要とされる、あるいは、高熱化しやすい、大容量の記録媒体からの読み出しや、高倍速記録を行う光学式情報記録再生装置の関連分野において有用であり、かつ、実施することができる。
【図面の簡単な説明】
【００２９】
【図１】本発明の一実施形態に係る記録再生装置の概略斜視図。
【図２】本発明の一実施形態に係る記録再生装置の一部の概略斜視図。
【図３】本発明の一実施形態に係る光ピックアップ装置の平面図。
【図４】本発明の一実施形態に係るピックアップフレームの斜視図。
【図５】そのピックアップフレームの分解斜視図。
【図６】図３のＶＩ−ＶＩ断面図。
【符号の説明】
【００３０】
１  記録再生装置
２  光ディスク（光学式情報記録媒体）
４  光ピックアップ装置
６  記録媒体載置部
８  ピックアップフレーム
９ａ  主軸
９ｂ  副軸
１０  固定台
１１  発光素子
１７  光学処理部
１９  対物レンズ（光照射部の一例）
３０  光学ベース
３２  第１支持ベース
３２ａ  第１固定部
３４  第２支持ベース
３４ａ  第２固定部
３４ｂ  第１部分
３４ｃ  第２部分
３４ｄ  連結部分
３６  第１規制部
３８  第２規制部
４０  第１軸受
４２  第２軸受
【図１】
2009283114.tif 000003
【図２】
2009283114.tif 000004
【図３】
2009283114.tif 000005
【図４】
2009283114.tif 000006
【図５】
2009283114.tif 000007
【図６】
2009283114.tif 000008